(57)【要約】【課題】  接続回線における高通話品質を担保する多機能交換機、及び回線交換方法を提供する。【解決手段】  多機能交換機において、その収容する回線の属性に応じた通話レベル制御パラメータ及びエコーキャンセル制御パラメータをその属性毎に記憶する記憶手段と、  発信側回線から送出される相手先呼出信号を検知してこれに基づいて、交換接続により形成された通話路に含まれる回線の属性を判定する検知判定手段と、当該判定された回線の属性に応じた通話レベル制御パラメータ及びエコーキャンセル制御パラメータを前記記憶手段から抽出する抽出手段と、当該抽出された通話レベル制御パラメータ及びエコーキャンセル制御パラメータに基づいて、交換接続により形成された通話路についての通話レベル制御及びエコーキャンセル制御を行う制御手段とを設ける。【選択図】  図１
2005229457.tif 000002
【特許請求の範囲】
【請求項１】
複数の回線を収容して前記回線相互間の接続を交換制御し、かつ回線の相互接続により形成された通話路についての通話レベル制御及びエコーキャンセル制御を行う多機能交換機であって、
前記回線の属性に応じた通話レベル制御パラメータ及びエコーキャンセル制御パラメータをその属性毎に記憶する記憶手段と、
発信側回線から送出される相手先呼出信号を検知してこれに基づいて前記形成された通話路に含まれる回線の属性を判定する検知判定手段と、
当該判定された回線の属性に応じた通話レベル制御パラメータ及びエコーキャンセル制御パラメータを前記記憶手段から抽出する抽出手段と、
当該抽出された通話レベル制御パラメータ及びエコーキャンセル制御パラメータに基づいて前記形成された通話路についての通話レベル制御及びエコーキャンセル制御を行う制御手段と、を含むことを特徴とする多機能交換機。
【請求項２】
前記制御手段は、
前記形成された通話路の各々についてその通話レベルを調整する通話ＰＡＤ回路と、そのエコーキャンセル処理を行うエコーキャンセラ回路と、
前記通話レベル制御パラメータ及びエコーキャンセル制御パラメータに基づいて前記通話ＰＡＤ回路及びエコーキャンセラ回路の各々を制御する制御回路と、を含むことを特徴とする請求項１に記載の多機能交換機。
【請求項３】
前記回線の属性に応じた通話レベル制御パラメータ及びエコーキャンセル制御パラメータを設定してこれを前記記憶手段に書き込み、かつ前記記憶手段に記憶された制御パラメータの値を読み出してこれに修正を加える制御パラメータ設定手段を更に含むことを特徴とする請求項１又は請求項２に記載の多機能交換機。
【請求項４】
前記制御パラメータ設定手段は、パーソナルコンピュータであることを特徴とする請求項３に記載の多機能交換機。
【請求項５】
前記相手先呼出信号は、相手先ダイヤル信号であることを特徴とする請求項１に記載の多機能交換機。
【請求項６】
複数の回線を収容して前記回線相互間の接続を交換制御し、かつ回線の相互接続により形成された通話路についての通話レベル制御及びエコーキャンセル制御を行う多機能交換機における回線交換方法であって、
前記回線の属性に応じた通話レベル制御パラメータ及びエコーキャンセル制御パラメータをその属性毎に記憶するステップと、
発信側回線から送出される相手先呼出信号を検知してこれに基づいて前記形成された通話路に含まれる回線の属性を判定するステップと、
当該判定された回線の属性に応じた通話レベル制御パラメータ及びエコーキャンセル制御パラメータを前記記憶手段から抽出するステツプと、
当該抽出された通話レベル制御パラメータ及びエコーキャンセル制御パラメータに基づいて前記形成された通話路についての通話レベル制御及びエコーキャンセル制御を行うステップと、を含むことを特徴とする回線交換方法。
【発明の詳細な説明】
【技術分野】
【０００１】
本発明は、多機能交換機及び多機能交換機における回線交換方法に関する。
【背景技術】
【０００２】
近年、ネットワーク環境の整備・拡大に伴って、アナログ公衆網以外の、例えば、ＩＳＤＮ公衆網や専用回線網等の各種のネットワークを接続可能な多機能交換機（以下、“ＩＰ(Internet Protocol)交換機”と称する）が普及しつつある。このようなＩＰ交換機では、例えば、非特許文献１に示される如く、同交換機に収容された各々の回線に対応するユニット毎にエコーキャンセル機能や通話レベル調整機能が具備されている。すなわち、同交換機は、収容回線の交換接続を行うと同時に、これらの機能を使用して接続された回線の通話路におけるエコー制御や通話レベルの補償も行っている。
しかしながら、従来のＩＰ交換機では、エコーキャンセル機能や通話レベル調整機能を制御するのに必要な、例えば、エコーリターンパス遅延時間や通話レベルの補償利得等の各種制御パラメータを、各回線ユニット毎に固定、或いは交換機設置時のマニュアル調整により設定していた。このため、実際にＩＰ交換機が稼動を開始した後に、接続相手先回線の網条件と設定された制御パラメータの値が適合せず、接続された回線間の通話レベル調整機能やエコーキャンセル機能が適正に働かないという問題があった。
【非特許文献１】ＩＴＵ−Ｔ規格Ｇ．１６８『デジタルネットワークエコーキャンセラー』
【発明の開示】
【発明が解決しようとする課題】
【０００３】
本発明は、このような問題を解決する為になされたものであって、接続回線の高通話品質を担保する多機能交換機、及び多機能交換機における回線交換方法を提供する。
【課題を解決するための手段】
【０００４】
本発明にかかる多機能交換機は、複数の回線を収容して前記回線相互間の接続を交換制御し、かつ回線の相互接続により形成された通話路についての通話レベル制御及びエコーキャンセル制御を行う多機能交換機であって、前記回線の属性に応じた通話レベル制御パラメータ及びエコーキャンセル制御パラメータをその属性毎に記憶する記憶手段と、発信側回線から送出される相手先呼出信号を検知してこれに基づいて前記形成された通話路に含まれる回線の属性を判定する検知判定手段と、当該判定された回線の属性に応じた通話レベル制御パラメータ及びエコーキャンセル制御パラメータを前記記憶手段から抽出する抽出手段と、当該抽出された通話レベル制御パラメータ及びエコーキャンセル制御パラメータに基づいて前記形成された通話路についての通話レベル制御及びエコーキャンセル制御を行う制御手段と、を含むことを特徴とする。
【０００５】
また、本発明にかかる回線交換方法は、複数の回線を収容して前記回線相互間の接続を交換制御し、かつ回線の相互接続により形成された通話路についての通話レベル制御及びエコーキャンセル制御を行う多機能交換機における回線交換方法であって、前記回線の属性に応じた通話レベル制御パラメータ及びエコーキャンセル制御パラメータをその属性毎に記憶するステップと、発信側回線から送出される相手先呼出信号を検知してこれに基づいて前記形成された通話路に含まれる回線の属性を判定するステップと、当該判定された回線の属性に応じた通話レベル制御パラメータ及びエコーキャンセル制御パラメータを前記記憶手段から抽出するステツプと、当該抽出された通話レベル制御パラメータ及びエコーキャンセル制御パラメータに基づいて前記形成された通話路についての通話レベル制御及びエコーキャンセル制御を行うステップと、を含むことを特徴とする。
【発明を実施するための最良の形態】
【０００６】
【実施例】
【０００７】
図１に本発明の実施例であるＩＰ交換機１を含むネットワーク全体の概要を示す。制御部１０は、ＩＰ交換機１の全体を統括・制御する部分であり、マイクロプロセッサとその周辺回路から構成されている。メモリ部１１は、ＩＰ交換機１の処理動作を規定したメインプログラムや各種のサブプログラムが記憶された、例えば、ＲＯＭ、或いはＲＡＭ等のメモリ素子、及びその周辺回路から構成されている。また、メモリ部１１には、後述する通話ＰＡＤ(Packet Assembler / Disassembler)回路１２やエコーキャンセラ回路１３を動作させるためのプログラム、或いは各種制御パラメータのテーブルが記憶されている。なお、メモリ部１１の内容は、後述するデータ端末装置２によって、設定・更新し得るものとする。
通話ＰＡＤ回路１２は、その対応する回線毎に通話パケットの合成／分割を行うと共に、当該回線における通話音声レベルを制御する回路である。また、エコーキャンセラ回路１３は、その対応する回線毎に当該回線の通話路におけるエコーキャンセル処理を実行する回路である。なお、これらの回路における通話音声レベルの補償利得や、エコーリターンパス遅延時間等の各種制御パラメータは、制御部１０からの指令により所定の範囲内において自在に調整し得るものとする。
回線収容回路１４は、ＩＰ交換機１に接続される各種の回線を収容するためのインタフェース回路であり、対応する各回線毎にそれぞれ異なる機能を有している。例えば、回線収容回路１４ａは、一般の加入者回線のようなアナログ公衆網３を対象とした回路であり、回線収容回路１４ｂは、ＩＰ交換機１に接続された内線を対象とした回路である。また、回線収容回路１４ｃは、例えば、ＩＳＤＮ等のデジタル公衆網を対象とした回路である。また、電話器５ａ乃至５ｃは、これらのアナログ公衆網や内線、或いはデジタル公衆網を介して接続される相手先の電話器である。
【０００８】
なお、回線収容回路１４ａ，ｂ，ｃの各々は、図１に示される事例にのみ限定されるものではなく、例えば、その他の専用回線網や、ガイダンスサービス、或いはドアホン等の各種のサービスに対応可能な回路を含むものであることは言うまでもない。
データ端末装置２は、ＩＰ交換機１の起動時やリセット時、或いはメモリ部１１の記憶内容を更新する際に使用されるＩＰ交換機１の保守用パソコンであり、ＩＰ交換機１と、例えば、ＲＳ−２３２ＣやＵＳＢ等のインタフェースによって接続されている。なお、データ端末装置２は常設されている必要はなく、ＩＰ交換機１の保守運用時にのみ制御部１０に接続し得る構成でも良い。
次に、メモリ部１１のメモリ領域内における、通話ＰＡＤ回路１２及びエコーキャンセラ回路１３の動作に関係するプログラムの構成について説明する。図２に、かかるメモリ領域についてのメモリマップを示す。同図においてメモリ領域１１１には、接続相手先を識別する特番、或いは通話回線に使用するエコーキャンセラの属性を選択する特番に関する情報を分析するダイヤル情報分析部１が記憶されている。また、メモリ領域１１２には、発信時のダイヤル番号情報を分析するダイヤル情報分析部２が記憶されている。同様に、メモリ領域１１３には、ダイヤル情報分析部１の分析結果から通話回線に使用されるエコーキャンセラの特性を指定するエコーキャンセラ情報部が、メモリ領域１１４には、ダイヤル情報分析部２の情報から使用回線の通話ＰＡＤの特性を指定する通話ＰＡＤ情報部が、それぞれ記憶されている。
次に、ＩＰ交換機１の処理動作を説明する。ＩＰ交換機１の動作モードは、主に、データ設定モードと回線接続モードに大別される。先ず、データ設定モードについて、図３に示されるフローチャートに基づいて説明を行う。
データ設定モードは、例えば、ＩＰ交換機１の電源投入や、ユーザーによるリセット指令の入力などの初期化指令、或いはメモリ部１１の内容変更指令が発せられることによって起動される。
データ設定モードが起動されると、先ず、ステップＳ１１のエコーキャンセラ選択特番設定処理が実行される。同処理は、ＩＰ交換機１に搭載されている回線収容回路１４の接続先特番と、エコーキャンセラ回路１３の有する特性を選択する特番をデータ端末装置２から設定して、これをメモリ部１１のダイヤル情報分析部１（１１１）にダウンロードするものである。
続いて、ステップＳ１２の発・着信ダイヤル情報設定処理が実行されて、データ端末装置２で設定された各回線収容回路１４の各々に使用される発着信のダイヤル情報がメモリ部１１のダイヤル情報分析部２（１１２）にダウンロードされる。なお、かかるダイヤル情報としては、例えば、アナログ公衆網３に繋がる回線を収容する回線収容回路１４ａの場合、ＮＴＴ等の各種通信事業者が定めた市外局番や国際電話番号などがある。
その後、ステップＳ１３の使用エコーキャンセラ特性選択情報設定処理に移り、データ端末装置２において設定されたダイヤル情報分析部１の特番に応じて使用されるエコーキャンセラの特性選択情報が、メモリ部１１のエコーキャンセラ情報部（１１３）にダウンロードされる。
次のステップＳ１４の使用ＰＡＤ情報設定処理では、ダイヤル情報分析部２で設定された特番によって決定される通話ＰＡＤ情報が、データ端末装置２からメモリ部１１の通話ＰＡＤ情報部（１１４）にダウンロードされる。
以上に説明したデータ設定モードの処理が終了すると、ＩＰ交換機１は通常の動作状態に移行する。そして、かかる通常動作状態において、例えば、内線に接続されている電話器５ｂがオフフックされると、次に説明する回線接続モード処理が起動される。
回線接続モードにおける処理動作を、図４のフローチャートに基づいて説明する。なお、説明における事例として、内線に接続された電話器５ｂがアナログ公衆回線３に接続された電話器５ａを相手先として回線接続を行う場合を例に挙げて説明を行う。
回線接続モードの処理プログラムが起動されると、制御部１０は、先ず、ステップＳ２１において電話器５ｂから発信された接続先特番ダイヤルを取得して、かかる接続先特番に基づいて接続先の分析処理を行う（ステップＳ２２）。これによって、制御部１０を介して、電話器５ｂの内線が収容されている回線収容回路１４ｂと、アナログ公衆回線３が収容されている回線収容回路１４ａとの接続が為される。
続くステップＳ２３において、制御部１０は、電話器５ｂから発信されたエコーキャンセラ選択特番ダイヤル、及び相手先ダイヤル番号を取得する。そして、次のステップＳ２４において、回線収容回路１４ａを介してアナログ公衆回線３に対して電話器５ａを選択する相手先ダイヤル番号を送出する。
アナログ公衆回線３を介して相手先電話器５ａとの着呼・応答処理（ステップＳ２５）が終了すると、制御部１０は、ステップＳ２３で取得したエコーキャンセラ選択特番に基づいて接続された回線間で使用すべきエコーキャンセラの特性を分析する（ステップＳ２６）。
ステップＳ２６において、使用すべきエコーキャンセラー特性が選択されると、かかる選択特性に応じた種々の制御パラメータが、制御部１０から、エコーキャンセラ回路１３ａ、及び１３ｂの各々に対して設定される（ステップＳ２７）。これらの、制御パラメータは、例えば、接続回線間に想定されるエコーリターンパスのエコー遅延時間や、エコーリターンパスのインパルス応答等の諸パラメータである。
次に、制御部１０は、ステップＳ２８において、ステップＳ２４で送出した相手先ダイヤル番号を分析する。そして、かかる分析結果に応じた、例えば、想定される通話路における利得補償値などの制御パラメータが、制御部１０から、通話ＰＡＤ回路１２ａ、及び１２ｂの各々に対して設定される（ステップＳ２９）。
【０００９】
以上に説明したように、本実施例のＩＰ交換機１によれば、相手先ダイヤル信号を用いて接続回線の属性を検知して、その属性に応じたエコーキャンセル処理、及び通話ＰＡＤの設定処理が可能となる。それ故、接続が行われる回線毎に、その回線に最適なエコーキャンセラ回路や通話ＰＡＤ回路が構成できるため、回線交換処理により設定された通話路において良好な通話品質を担保することが可能となる。
【図面の簡単な説明】
【００１０】
【図１】図１は、本発明による多機能交換機の実施例を示すブロック図である。
【図２】図２は、図１のメモリ部１１内のメモリ領域構成を示すメモリマップである。
【図３】図３は、図１の多機能交換機におけるデータ設定モードの動作を示すフローチャートである。
【図４】図４は、図１の多機能交換機における回線接続モードの動作を示すフローチャートである。
【符号の説明】
【００１１】
１                多機能交換機
２                データ端末装置
３                アナログ公衆網
４                デジタル公衆網
５ａ，ｂ，ｃ      電話器
１０              制御部
１１              メモリ部
１２ａ，ｂ，ｃ    通話ＰＡＤ回路
１３ａ，ｂ，ｃ    エコーキャンセラ回路
１４ａ，ｂ，ｃ    回線収容回路
【図１】
2005229457.tif 000003
【図２】
2005229457.tif 000004
【図３】
2005229457.tif 000005
【図４】
2005229457.tif 000006